(57)【要約】【課題】  シュレッダにおいて、回転軸へのカッター刃の組み付け作業を要することなくシュレッダ本体に簡易に設置することにより、クリアランスの微調整やスペーサの設置に要する手間と時間とコストを低減する。【解決手段】  カッター１０は、回転軸１２と、この回転軸１２の周囲に設けられた複数のカッター刃１４とから成っている。カッター刃１４は、回転軸１２と共に材料から削り出されて回転軸１２と一体に形成されている。各カッター刃１４は、外周面に削り出しにより形成された凹凸状のローレット１８を有する。このローレット１８は、カッター刃１４の切断刃部１４ａに形成されている。【選択図】        図１
2007319774.tif 000002
【特許請求の範囲】
【請求項１】
回転軸の周囲に複数のカッター刃を設けてシュレッダ用のカッターを形成するシュレッダ用カッターの製造方法において、前記カッター刃を、前記回転軸と共に材料から削り出して前記回転軸と一体に形成することを特徴とするシュレッダ用カッターの製造方法。
【請求項２】
請求項１に記載されたシュレッダ用カッターの製造方法であって、前記各カッター刃の外周面に、削り出しにより凹凸状のローレットを形成することを特徴とするシュレッダ用カッターの製造方法。
【請求項３】
請求項１又は請求項２のいずれかに記載されたシュレッダ用カッターの製造方法であって、前記ローレットを、前記各カッター刃の外周面の一部に形成することを特徴とするシュレッダ用カッターの製造方法。
【請求項４】
請求項３に記載されたシュレッダ用カッターの製造方法であって、前記ローレットが形成される前記各カッターの刃の外周面の一部が、切断刃部であることを特徴とするシュレッダ用カッターの製造方法。
【請求項５】
請求項１乃至請求項４のいずれかに記載されたシュレッダ用カッターの製造方法であって、前記ローレットを、前記複数のカッター刃のうち、前記回転軸の軸線方向の一部のカッター刃に形成することを特徴とするシュレッダ用カッターの製造方法。
【請求項６】
請求項１乃至請求項５のいずれかに記載されたシュレッダ用カッターの製造方法であって、前記ローレットを、各カッター刃間で前記回転軸の円周方向にずれして形成することを特徴とするシュレッダ用カッターの製造方法。
【請求項７】
回転軸と、前記回転軸の周囲に設けられた複数のカッター刃から成るシュレッダ用カッターにおいて、前記カッター刃は、前記回転軸と共に材料から削り出されて前記回転軸と一体に形成されていることを特徴とするシュレッダ用カッター。
【請求項８】
請求項７に記載されたシュレッダ用カッターであって、前記各カッター刃は、外周面に削り出しにより形成された凹凸状のローレットを有することを特徴とするシュレッダ用カッター。
【請求項９】
請求項７又は請求項８のいずれかに記載されたシュレッダ用カッターであって、前記ローレットは、前記各カッター刃の外周面の一部に形成されていることを特徴とするシュレッダ用カッター。
【請求項１０】
請求項９に記載されたシュレッダ用カッターであって、前記ローレットが形成される前記各カッターの刃の外周面の一部が、切断刃部であることを特徴とするシュレッダ用カッター。
【請求項１１】
請求項７乃至請求項１０のいずれかに記載されたシュレッダ用カッターであって、前記ローレットは、前記複数のカッター刃のうち、前記回転軸の軸線方向の一部のカッター刃に形成されていることを特徴とするシュレッダ用カッター。
【請求項１２】
請求項７乃至請求項１１のいずれかに記載されたシュレッダ用カッターであって、前記ローレットは、各カッター刃間で前記回転軸の円周方向にずれて形成されていることを特徴とするシュレッダ用カッター。
【発明の詳細な説明】
【技術分野】
【０００１】
本発明は、不要となった書類等の被処理物を回転軸の周囲に配置された複数のカッター刃により裁断するシュレッダのカッター及びその製造方法の改良に関し、特に、簡易に設置しつつ、微調整やメンテナンスの手間を低減することに関するものである。
【背景技術】
【０００２】
不要となった書類等の被処理物をカッター刃により細かく裁断処理するシュレッダにおいては、一般に、回転軸に複数のカッター刃とスペーサとを交互に配置して、他方の回転軸に設けられたカッター刃又は溝と互い違いに噛み合うようにして、このカッター刃間又はカッター刃と溝間に投入された被処理物を裁断する（例えば、特許文献１参照）。
【０００３】
これらの場合、回転軸に、カッター刃とスペーサとを交互に組み付ける必要があり、その組み付け作業に多大な手間と時間を要する問題があった。この場合、特に、単にカッター刃を回転軸に装着すればよいだけではなく、カッター刃が薄肉状であったため、その平面状態のバラツキ、ひいては、カッター刃間のクリアランス等を適切に微調整した上で組み付けないと、回転時の回転軌道に偏りが生じ、カッター刃を適切に噛み合わせて裁断することが困難となるおそれがあった。そのために、その組み付け作業には、細心の注意を払う必要があるとともに、また、場合によっては、スペーサの幅の微調整や、複数種類のスペーサを用意する必要もあり、カッターの適切な設置に手間と時間を要する問題があった。
【０００４】
また、カッター刃を適切に組み付けた後でも、使用時における環境温度の変化や、摩擦による温度上昇の影響を受けて、回転時の回転軌道の偏りや、また、場合によっては再度のクリアランスの微調整が必要となる問題があった。また、カッター刃が薄肉状であったため、その強度が必ずしも充分ではなく、使用時にの衝撃による変形が生じて交換の必要が生じたり、また、そもそもの耐用年数も必ずしも充分ではない問題があった。更には、この薄肉状のカッター刃間に間隙を設けるために、スペーサが必要となるため、部品点数が多大となり、コストを要する問題もあった。
【特許文献１】特開平３−１４３５５３号公報
【発明の開示】
【発明が解決しようとする課題】
【０００５】
本発明が解決しようとする課題は、上記の問題点に鑑み、シュレッダにおいて、回転軸へのカッター刃の組み付け作業を要することなくシュレッダ本体に簡易に設置することにより、クリアランスの微調整やスペーサの設置に要する手間と時間とコストを低減することができると共に、温度変化によるカッター刃への影響を低減すると同時に充分な強度も確保することができるシュレッダ用カッター及びその製造方法を提供することにある。
【課題を解決するための手段】
【０００６】
本発明は、上記の課題を解決するための第１の手段として、回転軸の周囲に複数のカッター刃を設けてシュレッダ用のカッターを形成するシュレッダ用カッターの製造方法において、カッター刃を、回転軸と共に材料から削り出して回転軸と一体に形成することを特徴とするシュレッダ用カッターの製造方法を提供するものである。
【０００７】
本発明は、上記の課題を解決するための第２の手段として、上記第１の解決手段において、各カッター刃の外周面に、削り出しにより凹凸状のローレットを形成することを特徴とするシュレッダ用カッターの製造方法を提供するものである。
【０００８】
本発明は、上記の課題を解決するための第３の手段として、上記第１又は第２のいずれかの解決手段において、ローレットを、各カッター刃の外周面の一部に形成することを特徴とするシュレッダ用カッターの製造方法を提供するものである。
【０００９】
本発明は、上記の課題を解決するための第４の手段として、上記第３の解決手段において、ローレットが形成される各カッターの刃の外周面の一部が、切断刃部であることを特徴とするシュレッダ用カッターの製造方法を提供するものである。
【００１０】
本発明は、上記の課題を解決するための第５の手段として、上記第１乃至第４のいずれかの解決手段において、ローレットを、複数のカッター刃のうち、回転軸の軸線方向の一部のカッター刃に形成することを特徴とするシュレッダ用カッターの製造方法を提供するものである。
【００１１】
本発明は、上記の課題を解決するための第６の手段として、上記第１乃至第５のいずれかの解決手段において、ローレットを、各カッター刃間で回転軸の円周方向にずれして形成することを特徴とするシュレッダ用カッターの製造方法を提供するものである。
【００１２】
また、本発明は、上記の課題を解決するための第７の手段として、回転軸と、この回転軸の周囲に設けられた複数のカッター刃から成るシュレッダ用カッターにおいて、カッター刃は、回転軸と共に材料から削り出されて回転軸と一体に形成されていることを特徴とするシュレッダ用カッターを提供するものである。
【００１３】
本発明は、上記の課題を解決するための第８の手段として、上記第７の解決手段において、各カッター刃は、外周面に削り出しにより形成された凹凸状のローレットを有することを特徴とするシュレッダ用カッターを提供するものである。
【００１４】
本発明は、上記の課題を解決するための第９の手段として、上記第７又は第８のいずれかの解決手段において、ローレットは、各カッター刃の外周面の一部に形成されていることを特徴とするシュレッダ用カッターを提供するものである。
【００１５】
本発明は、上記の課題を解決するための第１０の手段として、上記第９の解決手段において、ローレットが形成される各カッターの刃の外周面の一部が、切断刃部であることを特徴とするシュレッダ用カッターを提供するものである。
【００１６】
本発明は、上記の課題を解決するための第１１の手段として、上記第７乃至第１０のいずれかの解決手段において、ローレットは、複数のカッター刃のうち、回転軸の軸線方向の一部のカッター刃に形成されていることを特徴とするシュレッダ用カッターを提供するものである。
【００１７】
本発明は、上記の課題を解決するための第１２の手段として、上記第７乃至第１１のいずれかの解決手段において、ローレットは、各カッター刃間で回転軸の円周方向にずれて形成されていることを特徴とするシュレッダ用カッターを提供するものである。
【発明の効果】
【００１８】
本発明によれば、上記のように、カッター刃を回転軸と共に材料から削り出して回転軸と一体に形成しているため、カッター刃を回転軸へ組み付けることなくカッター刃を製造することができると共に、カッター刃間のクリアランスの調整やカッター刃間の間隔調整のためのスペーサを要することなく、カッターをシュレッダ本体に設置することができるため、作業の手間と時間を低減して作業性を向上させることができると同時にコストを低減することができる実益がある。
【００１９】
また、本発明によれば、上記のように、カッター刃を削り出しにより形成しているため、冷間圧延鋼板等から形成された薄肉状の一般的なカッター刃に比べ、カッター刃が温度の影響による変形やばらつきを生ずることがなく、クリアランスの微調整等のメンテナンスに手間を要することがないと共に、カッター刃自体の強度や耐久性も向上する実益がある。
【００２０】
更に、本発明によれば、上記のように、各カッター刃の外周面に、削り出しにより凹凸状のローレットを形成しているため、カッター刃を削り出して形成しても、裁断すべき書類などの被処理物がカッター刃の外周面上を滑ることがなく、被処理物をカッター刃間に確実に送り込んで、適切に裁断処理をすることができる実益がある。
【発明を実施するための最良の形態】
【００２１】
本発明の実施の形態を図面を参照しながら詳細に説明すると、図１乃至図３は、本発明のシュレッダ用カッター１０を示し、このシュレッダ用カッター１０は、図１に示すように、回転軸１２と、この回転軸１２の周囲に設けられた複数のカッター刃１４から成っている。
【００２２】
このシュレッダ用カッター１０は、複数のカッター１０の各回転軸１２が図示しないシュレッダ本体に回転自在に支持されると共に、一方のカッター１０の複数のカッター刃１４と他方のカッター１０のカッター刃１４と互い違いに噛み合うようにして設置され、複数のカッター１０のカッター刃１４間に投入された書類等の被処理物を裁断する。
【００２３】
この場合、本発明においては、これらの複数のカッター刃１４は、回転軸１２と共に材料から削り出されて回転軸１２と一体に形成される。即ち、材料を適宜の手段により切削加工して、回転軸１２及びカッター刃１４とを一体的に同時に形成する。このため、回転軸１２と、カッター刃１４とを別々に形成する場合と異なり、カッター刃１４を回転軸１２に組み付ける作業が不要となると同時に、カッター刃の寸法や形状のバラツキによるクリアランスの微調整をすることなく、カッター刃１４を適切に配置することができる。
【００２４】
そのため、カッター刃１４の回転軸への組み付けに要していた約２０分程度の作業時間を省略することができると共に、カッター刃１４間に間隔を設定するためのスペーサも不要となり、作業性とコストを低減することができる。
【００２５】
なお、これらの回転軸１２及びカッター刃１４を形成するために削り出される材料としては、裁断に必要な強度及びある程度の切削加工の容易性を備えていれば、特に限定はないが、例えば、一般に回転軸１２との材料として使用されることが多い機械構造用炭素鋼を熱処理したＳ４５Ｃ調質材を使用することができる。その他、Ｓ４５Ｃ以外のＳ４０Ｃ〜Ｓ５０Ｃを調質した調質材は勿論のこと、Ｓ４０Ｃ〜Ｓ５０Ｃ等の機械構造用炭素鋼鋼材（ＪＩＳ−Ｇ４０５１）や、一般構造用圧延鋼材（ＳＳ材）、構造用合金鋼材（ＳＡ材）、工具用炭素鋼材（ＳＫ材）等を使用することもできる。
【００２６】
カッター１０は、これらの材料を、旋盤やフライス盤等により、カッター刃１４間に他方のカッター１０のカッター刃１４が入り込む溝１６を形成するように切削加工して回転軸１２及び複数のカッター刃１４とを単一の加工工程で形成することができるが、その際に、バイトやフライスの変位量や変位位置等を適切に設定することにより、後からカッター刃１４を回転軸１２に組み付ける場合に比べ、高い精度で製造することができる。なお、この場合、図１に示すように、複数のカッター刃１４を、回転軸１２に直交するように平行に形成する。
【００２７】
また、カッター刃１４自体の加工形状は、特に限定はないが、図２及び図３に示すように、各カッター刃１４の外周状の一部のみに切断刃部１４ａを形成することができる。図示の実施の形態では、この一部として、図示の実施の形態では、略円形状のカッター刃１４の外周状に４箇所の切断刃部１４ａを設けているが、特に限定はなく、必要に応じて、適宜設定することができる。
【００２８】
この切断刃部１４ａは、特に、図３（Ｂ）から解るように、所定の厚みで削り出された各カッター刃１４の外周面の一部を、更に谷削りして、カッター刃１４の両端を鋭角に加工することにより、カッター刃１４の外周上の両端に形成することができる。カッター刃１４は、この切断刃部１４ａにより、図示しない書類等の被処理物を切断する。
【００２９】
この場合、この切断刃部１４ａは、上記のように、Ｓ４５Ｃ調質材等から削り出しにより形成されているため、ＳＰＣＣ等の冷間圧延鋼板（ＳＰ材）等から形成された薄肉状の一般的なカッター刃を回転軸に固定して取り付けた場合に比べ、強度や耐久性が高まるのは勿論のこと、温度の影響による変形やばらつきを生ずることがなく、クリアランスの微調整等のメンテナンスに手間を要することがない。なお、この切断刃部１４ａの削り出し寸法は、カッター刃１４自体の厚みとの関係も考慮した上で決定することが必要であるが、例えば、カッター刃１４の厚みを２．８ｍｍに設定した場合には、約７６°の削り出し角度で谷削りして、カッター刃１４の両端に各々０．５ｍｍ厚の切断刃部１４ａを形成することができる。
【００３０】
この各カッター刃１４には、図１及び図３（Ｂ）に示すように、外周面に削り出しにより形成された凹凸状のローレット１８を設けることが望ましい。このローレット１８により、裁断すべき書類等の被処理物がカッター刃１４の外周面上を滑ることがなく、被処理物をカッター刃１４間に確実に送り込んで、適切に裁断処理をすることができる。
【００３１】
このローレット１８は、各カッター刃１４の外周面の一部に、特に、書類等の被処理物と直接接触する箇所に形成することができる。具体的には、図示の実施の形態のように、カッター刃１４の外周の一部にのみ、切断刃部１４ａを形成した場合には、図３（Ｂ）に示すように、この切断刃部１４ａに、ローレット１８を形成することができる。
【００３２】
また、このローレット１８は、図１に示すように、各カッター刃１４間で回転軸１２の円周方向にずれて形成されている。具体的には、図示の実施の形態では、各カッター刃１４の溝１６に面する板面に対して所定の角度（図１のθ参照）で傾斜してずれるようにして形成されている。これにより、図示しない書類等の被処理物がカッター刃１４上のいずれの一にあっても、必ずローレット１８に接触して、被処理物をカッター刃１４間に確実に送り込むことができる。この場合、ローレット１８を切断刃部１４ａに形成する図示の実施の形態においては、同時に、被処理物は、必ず、複数のカッター刃１４のうちのいずれかのカッター刃１４の切断刃部１４ａにも接触することになり、確実に裁断することもできる。
【００３３】
このローレット１８は、ピッチ（凸部間の間隔）を０．７ｍｍ〜１．５ｍｍ程度の範囲で設定することが、被処理物の滑り止め効果を発揮する上で、好ましい。
【００３４】
なお、図１に示す実施の形態では、回転軸１２上に平行に形成された複数のカッター刃１４の全てにローレット１８を形成しているのが示されているが、必ずしもこの形態にのみ限定されるものではなく、回転軸１２の軸線方向の一部のカッター刃１４にのみ形成することもできる。更に、この場合、回転軸１２の軸線方向の一部分のカッター刃１４のみにローレット１８を形成することもできるし、所定の間隔を空けて間欠的に複数の一部のカッター刃１４にローレット１８を形成することもできる。
【００３５】
なお、本発明のカッター１０は、上記のように、複数の本発明のカッター１０の回転軸１２を図示しないシュレッダに設置して、２つのカッター１０間で、カッター刃１４が互い違いに噛み合うようにして配置することができるほか、一方のみに本発明のカッター１０を設置し、他方の回転軸には、一方のカッター１０のカッター刃１４ａが噛み合うようにして入り込む図示しない溝のみを形成することもできる。いずれの場合も、カッター刃１４ａ同士、あるいは、カッター刃１４ａと図示しない溝とが噛み合う箇所において、図示しない書類等の被処理物を裁断する。この場合、図示しない他方の回転軸の溝も、削り出しにより回転軸と一体に形成することができ、従来、回転軸に図示しない複数のリングを間欠的に取り付けて一方のカッターのカッター刃が入り込む溝を形成していた場合に比べ、製造が容易となり、作業性が向上するメリットがある。
【産業上の利用可能性】
【００３６】
本発明は、特に、書類を細かく裁断するシュレッダのカッターに好適であるが、同様に、回転する刃を有する回転軸であれば、書類用のシュレッダに限らず、それ以外の被処理物の裁断にも広く適用することができる。
【図面の簡単な説明】
【００３７】
【図１】本発明のカッターの正面図である。
【図２】本発明に用いられるカッター刃の側面図である。
【図３】図３は、本発明に用いられるカッター刃を示し、同図（Ａ）はその一部拡大側面図、同図（Ｂ）はその一部拡大正面図である。
【符号の説明】
【００３８】
１０  シュレッダ用カッター
１２  回転軸
１４  カッター刃
１４ａ  切断刃部
１６  溝
１８  ローレット
【図１】
2007319774.tif 000003
【図２】
2007319774.tif 000004
【図３】
2007319774.tif 000005